(57)【要約】【課題】プレビュー画像表示時間が短かく操作性の高い画像処理装置、プレビュー画像表示方法およびプレビュー画像表示プログラムを提供する。【解決手段】画像取得部１３１は、表示部に表示する画像情報のみを画像情報ごとに付されたページ番号に従って取得し、プレビュー画像生成部１３２は、画像データに対する各種の設定に応じた処理結果を示すプレビュー画像を生成し、操作表示制御部１５１は、生成されたプレビュー画像を画像データに代えて表示部に表示する。【選択図】        図１
2008205903.tif 000002
【特許請求の範囲】
【請求項１】
表示部に表示する画像情報のみを前記画像情報ごとに付されたページ番号に従って取得する画像取得手段と、
前記画像取得手段によって取得された前記画像情報に対する各種の設定に応じた処理結果を示すプレビュー画像を生成するプレビュー画像生成手段と、
前記プレビュー画像生成手段によって生成された前記プレビュー画像を前記画像情報に代えて前記表示部に表示するプレビュー画像表示手段と、
を備えることを特徴とする画像処理装置。
【請求項２】
前記ページ番号が付された前記画像情報を記憶する画像記憶手段、をさらに備えること、を特徴とする請求項１に記載の画像処理装置。
【請求項３】
前記表示部に表示する画像情報を前記ページ番号に従って順に遷移させるページ送り手段、をさらに備え、
前記画像取得手段は、前記ページ送り手段により遷移可能なページの前記画像情報を前記画像記憶手段から取得すること、を特徴とする請求項２に記載の画像処理装置。
【請求項４】
前記画像取得手段は、前記ページ番号の最始部に対応する前記画像情報の遷移可能なページとして前記ページ番号の最終部に対応する前記画像情報を含めて取得すること、を特徴とする請求項３に記載の画像処理装置。
【請求項５】
前記画像記憶手段に記憶された前記画像情報の前記ページ番号に従った所定の範囲を取得する範囲取得手段、をさらに備え、
前記画像取得手段は、前記画像記憶手段から、前記範囲取得手段によって取得された前記範囲に対応する前記画像情報を取得すること、を特徴とする請求項２に記載の画像処理装置。
【請求項６】
前記プレビュー画像生成手段は、前記画像情報から解像度が高いプレビュー画像および解像度が低いプレビュー画像の両方を生成し、
前記プレビュー画像表示手段は、前記表示部の表示位置ごとに、前記画像情報の前記解像度が高いプレビュー画像と、前記解像度が低いプレビュー画像を選択的に表示すること、を特徴とする請求項１〜５のいずれか一つに記載の画像処理装置。
【請求項７】
前記プレビュー画像生成手段は、前記画像取得手段によって取得された前記画像情報から前記解像度が低いプレビュー画像を生成し、前記表示部の所定の表示位置にプレビュー画像を表示する場合に、前記解像度が高いプレビュー画像を生成すること、を特徴とする請求項１〜５のいずれか一つに記載の画像処理装置。
【請求項８】
画像処理装置で実行されるプレビュー画像表示方法において、
表示部に表示する画像情報を、前記画像情報と前記画像情報が取得された順番に対応するページ番号とを対応付けて記憶する画像記憶部から前記ページ番号に従って取得する画像取得ステップと、
前記画像取得ステップによって取得された前記画像情報に対する各種の設定に応じた処理結果を示すプレビュー画像を生成するプレビュー画像生成ステップと、
前記プレビュー画像生成ステップによって生成された前記プレビュー画像を前記画像情報に代えて前記表示部に表示するプレビュー画像表示ステップと、
を有することを特徴とするプレビュー画像表示方法。
【請求項９】
前記表示部に表示する画像情報を前記ページ番号に従って順に遷移させるページ送りステップ、をさらに有し、
前記画像取得ステップは、前記ページ送りステップにより遷移可能なページの前記画像情報を前記画像記憶部から取得すること、を特徴とする請求項８に記載のプレビュー画像表示方法。
【請求項１０】
前記画像取得ステップは、前記ページ番号の最始部に対応する前記画像情報の遷移可能なページとして前記ページ番号の最終部に対応する前記画像情報を含めて取得すること、を特徴とする請求項９に記載のプレビュー画像表示方法。
【請求項１１】
前記画像記憶部に記憶された前記画像情報の前記ページ番号に従った所定の範囲を取得する範囲取得ステップ、をさらに備え、
前記画像取得ステップは、前記画像記憶部から、前記範囲取得ステップによって取得された前記範囲に対応する前記画像情報を取得すること、を特徴とする請求項８に記載のプレビュー画像表示方法。
【請求項１２】
前記プレビュー画像生成ステップは、前記画像情報から解像度が高いプレビュー画像および解像度が低いプレビュー画像の両方を生成し、
前記プレビュー画像表示ステップは、前記表示部の表示位置ごとに、前記画像情報の前記解像度が高いプレビュー画像と、前記解像度が低いプレビュー画像を選択的に表示すること、を特徴とする請求項８〜１１のいずれか一つに記載のプレビュー画像表示方法。
【請求項１３】
前記プレビュー画像生成ステップは、前記画像取得ステップによって取得された前記画像情報から前記解像度が低いプレビュー画像を生成し、前記表示部の所定の表示位置にプレビュー画像を表示する場合に、前記解像度が高いプレビュー画像を生成すること、を特徴とする請求項８〜１１のいずれか一つに記載のプレビュー画像表示方法。
【請求項１４】
表示部に表示する画像情報を、前記画像情報と前記画像情報が取得された順番に対応するページ番号とを対応付けて記憶する画像記憶部から前記ページ番号に従って取得する画像取得機能と、
前記画像取得機能によって取得された前記画像情報に対する各種の設定に応じた処理結果を示すプレビュー画像を生成するプレビュー画像生成機能と、
前記プレビュー画像生成機能によって生成された前記プレビュー画像を前記画像情報に代えて前記表示部に表示するプレビュー画像表示機能と、
をコンピュータに実行させることを特徴とするプレビュー画像表示プログラム。
【請求項１５】
前記表示部に表示する画像情報を前記ページ番号に従って順に遷移させるページ送り機能、を前記コンピュータに実行させ、
前記画像取得機能は、前記ページ送り機能により遷移可能なページの前記画像情報を前記画像記憶部から取得すること、を特徴とする請求項１４に記載のプレビュー画像表示プログラム。
【請求項１６】
前記画像取得機能は、前記ページ番号の最始部に対応する前記画像情報の遷移可能なページとして前記ページ番号の最終部に対応する前記画像情報を含めて取得すること、を特徴とする請求項１５に記載のプレビュー画像表示プログラム。
【請求項１７】
前記画像記憶部に記憶された前記画像情報の前記ページ番号に従った所定の範囲を取得する範囲取得機能、を前記コンピュータに実行させ、
前記画像取得機能は、前記画像記憶部から、前記範囲取得機能によって取得された前記範囲に対応する前記画像情報を取得すること、を特徴とする請求項１４に記載のプレビュー画像表示プログラム。
【請求項１８】
前記プレビュー画像生成機能は、前記画像情報から解像度が高いプレビュー画像および解像度が低いプレビュー画像の両方を生成し、
前記プレビュー画像表示機能は、前記表示部の表示位置ごとに、前記画像情報の前記解像度が高いプレビュー画像と、前記解像度が低いプレビュー画像を選択的に表示すること、を特徴とする請求項１４〜１７のいずれか一つに記載のプレビュー画像表示プログラム。
【請求項１９】
前記プレビュー画像生成機能は、前記画像取得機能によって取得された前記画像情報から前記解像度が低いプレビュー画像を生成し、前記表示部の所定の表示位置にプレビュー画像を表示する場合に、前記解像度が高いプレビュー画像を生成すること、を特徴とする請求項１４〜１７のいずれか一つに記載のプレビュー画像表示プログラム。
【発明の詳細な説明】
【技術分野】
【０００１】
本発明は、画像処理装置、プレビュー画像表示方法およびプレビュー画像表示プログラムに関する。
【背景技術】
【０００２】
従来、スキャナ等で読込んだ画像情報に対して利用者の指示により様々な画像処理を行なったり、ステープルやパンチ等を施して出力する画像形成装置が一般に知られている。このような画像形成装置では、処理が利用者の意図した通りに行われたか否かは、実際に印刷して確認しなければならないという問題があった。
【０００３】
このような問題を解決するものとして、利用者が指示した処理結果をプレビュー画像として操作表示画面に表示する画像形成装置が開示されている（特許文献１参照）。かかる画像形成装置は、画像情報および指示した処理に基づいてプレビュー画像を生成するため、利用者は実際に印刷する前に印刷物の仕上がりを操作表示画面で確認することができ、利用者が意図しない印刷物の出力を防ぐことができる。
【０００４】
【特許文献１】特開２００６−３５６８号公報
【発明の開示】
【発明が解決しようとする課題】
【０００５】
しかしながら、上記特許文献１に記載された技術では、複数ページからなる原稿を読み取り、読取った画像情報すべてについてプレビュー画像を生成してプレビュー画像を表示するため、操作可能となるまでの待ち時間が長くなってしまうという問題があった。
【０００６】
本発明は、上記に鑑みてなされたものであって、プレビュー画像を表示する場合に、プレビュー画像表示時間が短かく操作性の高い画像処理装置、プレビュー画像表示方法およびプレビュー画像表示プログラムを提供することを目的とする。
【課題を解決するための手段】
【０００７】
上述した課題を解決し、目的を達成するために、請求項１にかかる発明は、表示部に表示する画像情報のみを前記画像情報ごとに付されたページ番号に従って取得する画像取得手段と、前記画像取得手段によって取得された前記画像情報に対する各種の設定に応じた処理結果を示すプレビュー画像を生成するプレビュー画像生成手段と、前記プレビュー画像生成手段によって生成された前記プレビュー画像を前記画像情報に代えて前記表示部に表示するプレビュー画像表示手段と、を備えることを特徴とする。
【０００８】
また、請求項２にかかる発明は、請求項１に記載の画像処理装置において、前記ページ番号が付された前記画像情報を記憶する画像記憶手段、をさらに備えること、を特徴とする。
【０００９】
また、請求項３にかかる発明は、請求項２に記載の画像処理装置において、前記表示部に表示する画像情報を前記ページ番号に従って順に遷移させるページ送り手段、をさらに備え、前記画像取得手段は、前記ページ送り手段により遷移可能なページの前記画像情報を前記画像記憶手段から取得すること、を特徴とする。
【００１０】
また、請求項４にかかる発明は、請求項３に記載の画像処理装置において、前記画像取得手段は、前記ページ番号の最始部に対応する前記画像情報の遷移可能なページとして前記ページ番号の最終部に対応する前記画像情報を含めて取得すること、を特徴とする。
【００１１】
また、請求項５にかかる発明は、請求項２に記載の画像処理装置において、前記画像記憶手段に記憶された前記画像情報の前記ページ番号に従った所定の範囲を取得する範囲取得手段、をさらに備え、前記画像取得手段は、前記画像記憶手段から、前記範囲取得手段によって取得された前記範囲に対応する前記画像情報を取得すること、を特徴とする。
【００１２】
また、請求項６にかかる発明は、請求項１〜５のいずれか一つに記載の画像処理装置において、前記プレビュー画像生成手段は、前記画像情報から解像度が高いプレビュー画像および解像度が低いプレビュー画像の両方を生成し、前記プレビュー画像表示手段は、前記表示部の表示位置ごとに、前記画像情報の前記解像度が高いプレビュー画像と、前記解像度が低いプレビュー画像を選択的に表示すること、を特徴とする。
【００１３】
また、請求項７にかかる発明は、請求項１〜５のいずれか一つに記載の画像処理装置において、前記プレビュー画像生成手段は、前記画像取得手段によって取得された前記画像情報から前記解像度が低いプレビュー画像を生成し、前記表示部の所定の表示位置にプレビュー画像を表示する場合に、前記解像度が高いプレビュー画像を生成すること、を特徴とする。
【００１４】
また、請求項８にかかる発明は、画像処理装置で実行されるプレビュー画像表示方法において、表示部に表示する画像情報を、前記画像情報と前記画像情報が取得された順番に対応するページ番号とを対応付けて記憶する画像記憶部から前記ページ番号に従って取得する画像取得ステップと、前記画像取得ステップによって取得された前記画像情報に対する各種の設定に応じた処理結果を示すプレビュー画像を生成するプレビュー画像生成ステップと、前記プレビュー画像生成ステップによって生成された前記プレビュー画像を前記画像情報に代えて前記表示部に表示するプレビュー画像表示ステップと、を有することを特徴とする。
【００１５】
また、請求項９にかかる発明は、請求項８に記載のプレビュー画像表示方法において、前記表示部に表示する画像情報を前記ページ番号に従って順に遷移させるページ送りステップ、をさらに有し、前記画像取得ステップは、前記ページ送りステップにより遷移可能なページの前記画像情報を前記画像記憶部から取得すること、を特徴とする。
【００１６】
また、請求項１０にかかる発明は、請求項９に記載のプレビュー画像表示方法において、前記画像取得ステップは、前記ページ番号の最始部に対応する前記画像情報の遷移可能なページとして前記ページ番号の最終部に対応する前記画像情報を含めて取得すること、を特徴とする。
【００１７】
また、請求項１１にかかる発明は、請求項８に記載のプレビュー画像表示方法において、前記画像記憶部に記憶された前記画像情報の前記ページ番号に従った所定の範囲を取得する範囲取得ステップ、をさらに備え、前記画像取得ステップは、前記画像記憶部から、前記範囲取得ステップによって取得された前記範囲に対応する前記画像情報を取得すること、を特徴とする。
【００１８】
また、請求項１２にかかる発明は、請求項８〜１１のいずれか一つに記載のプレビュー画像表示方法において、前記プレビュー画像生成ステップは、前記画像情報から解像度が高いプレビュー画像および解像度が低いプレビュー画像の両方を生成し、前記プレビュー画像表示ステップは、前記表示部の表示位置ごとに、前記画像情報の前記解像度が高いプレビュー画像と、前記解像度が低いプレビュー画像を選択的に表示すること、を特徴とする。
【００１９】
また、請求項１３にかかる発明は、請求項８〜１１のいずれか一つに記載のプレビュー画像表示方法において、前記プレビュー画像生成ステップは、前記画像取得ステップによって取得された前記画像情報から前記解像度が低いプレビュー画像を生成し、前記表示部の所定の表示位置にプレビュー画像を表示する場合に、前記解像度が高いプレビュー画像を生成すること、を特徴とする。
【００２０】
また、請求項１４にかかる発明は、表示部に表示する画像情報を、前記画像情報と前記画像情報が取得された順番に対応するページ番号とを対応付けて記憶する画像記憶部から前記ページ番号に従って取得する画像取得機能と、前記画像取得機能によって取得された前記画像情報に対する各種の設定に応じた処理結果を示すプレビュー画像を生成するプレビュー画像生成機能と、前記プレビュー画像生成機能によって生成された前記プレビュー画像を前記画像情報に代えて前記表示部に表示するプレビュー画像表示機能と、をコンピュータに実行させることを特徴とする。
【００２１】
また、請求項１５にかかる発明は、請求項１４に記載のプレビュー画像表示プログラムにおいて、前記表示部に表示する画像情報を前記ページ番号に従って順に遷移させるページ送り機能、を前記コンピュータに実行させ、前記画像取得機能は、前記ページ送り機能により遷移可能なページの前記画像情報を前記画像記憶部から取得すること、を特徴とする。
【００２２】
また、請求項１６にかかる発明は、請求項１５に記載のプレビュー画像表示プログラムにおいて、前記画像取得機能は、前記ページ番号の最始部に対応する前記画像情報の遷移可能なページとして前記ページ番号の最終部に対応する前記画像情報を含めて取得すること、を特徴とする。
【００２３】
また、請求項１７にかかる発明は、請求項１４に記載のプレビュー画像表示プログラムにおいて、前記画像記憶部に記憶された前記画像情報の前記ページ番号に従った所定の範囲を取得する範囲取得機能、を前記コンピュータに実行させ、前記画像取得機能は、前記画像記憶部から、前記範囲取得機能によって取得された前記範囲に対応する前記画像情報を取得すること、を特徴とする。
【００２４】
また、請求項１８にかかる発明は、請求項１４〜１７のいずれか一つに記載のプレビュー画像表示プログラムにおいて、前記プレビュー画像生成機能は、前記画像情報から解像度が高いプレビュー画像および解像度が低いプレビュー画像の両方を生成し、前記プレビュー画像表示機能は、前記表示部の表示位置ごとに、前記画像情報の前記解像度が高いプレビュー画像と、前記解像度が低いプレビュー画像を選択的に表示すること、を特徴とする。
【００２５】
また、請求項１９にかかる発明は、請求項１４〜１７のいずれか一つに記載のプレビュー画像表示プログラムにおいて、前記プレビュー画像生成機能は、前記画像取得機能によって取得された前記画像情報から前記解像度が低いプレビュー画像を生成し、前記表示部の所定の表示位置にプレビュー画像を表示する場合に、前記解像度が高いプレビュー画像を生成すること、を特徴とする。
【発明の効果】
【００２６】
本発明によれば、画像データすべてのプレビュー画像を生成することなく、表示される画像データのプレビュー画像のみが生成されるため、プレビュー画像生成時間が短縮され、短い待ち時間で次の操作が可能となり、利用者にとっての操作性が向上するという効果を奏する。
【発明を実施するための最良の形態】
【００２７】
以下に添付図面を参照して、本発明にかかる画像処理装置、プレビュー画像表示方法およびプレビュー画像表示プログラムの最良な実施の形態を詳細に説明する。なお、本発明はこれらの実施の形態に限定されるものではない。
【００２８】
（第１の実施の形態）
第１の実施の形態について、添付図面を参照して説明する。本実施の形態は、画像処理装置として、コピー機能、ファクシミリ（ＦＡＸ）機能、プリント機能、スキャナ機能及び入力画像（スキャナ機能により読取られた原稿画像や、プリンタあるいはＦＡＸ機能により入力された画像）を配信する機能等を複合したいわゆる複合機（ＭＦＰ：MultiFunction Peripheral）を適用した例である。
【００２９】
図１は、第１の実施の形態にかかる複合機の構成を示すブロック図である。本実施の形態にかかる複合機１００は、スキャナ１１と、ＡＤＦ（オート・ドキュメント・フィーダ）１１１と、スキャナコントローラ１１２と、画像記憶部１２０と、画像処理部１３０と、プリンタ１４０と、プリンタコントローラ１４２と、仕上げ処理部１４１と、操作表示部１５０と、操作表示制御部１５１と、システム制御部１６０と、通信制御部１７０とを備えている。また、複合機１００は、通信制御部１７０を介してネットワーク１８０と接続されている。そして、複合機１００は、原稿１の画像を読み取って画像処理を施した後、印刷物２として出力する。
【００３０】
システム制御部１６０は、各構成部と接続されていて、複合機１００全体の制御を行うものである。例えば、選択されている用紙サイズに対して適切な走査領域情報をスキャナ１１０に提供するなどの制御である。このシステム制御部１６０は、不図示のＣＰＵ（Central Processing Unit）、ＲＯＭ（Read Only Memory）、ＲＡＭ（Random Access Memory）などから構成されており、ＣＰＵがＲＯＭに格納されたプログラムに基づいてＲＡＭのワーク領域を利用しながら動作することにより、各種処理が実行される。
【００３１】
なお、複合機１００で実行されるプログラムは、インストール可能な形式又は実行可能な形式のファイルでＣＤ−ＲＯＭ、フレキシブルディスク（ＦＤ）、ＣＤ−Ｒ、ＤＶＤ（digital Versatile Disk）等のコンピュータで読み取り可能な記憶媒体に記録されて提供されてもよい。この場合、システム制御部１６０のＣＰＵが上記記憶媒体からプログラムを読み出して主記憶装置（図示せず）上にロードすることで、複合機１００に各種の機能を実現させる。また、プログラムを、インターネット等のネットワーク１８０に接続されたコンピュータ上に格納し、ネットワーク経由でダウンロードさせることにより提供するようにしてもよい。または、プログラムをインターネット等のネットワーク経由で提供若しくは配布するようにしてもよい。
【００３２】
通信制御部１７０は、ＬＡＮ（ローカル・エリア・ネットワーク）やインターネットなどのネットワーク１８０と接続され、通信プロトコルに従ってネットワークに接続された他の機器との間で画像データや制御データ等のやり取りを行うものである。
【００３３】
スキャナ１１０は、スキャナコントローラ１１２に制御され、原稿１のイメージをデジタル画像データに変換する。なお、ＡＤＦ１１１は、セットされた複数ページの原稿をスキャナ１１０の読取位置に１枚ずつ順に繰り出すことができる。ＡＤＦ１１１を用いることにより、スキャナ１１０は複数ページの原稿を連続して自動的に読み込みを行うことができる。また、ＡＤＦ１１１は、用紙の片面に印刷された片面原稿だけでなく、両面に印刷された両面原稿を反転させてスキャナ１１０に送り出すことができるので、スキャナ１１０に両面原稿を読み込ませることが可能である。スキャナコントローラ１１２は、システム制御部１６０の命令を受け、スキャナ１１０を制御する。
【００３４】
画像記憶部１２０は、システム制御部１６０の命令を受け、スキャナ１１０で読み取った画像データや、ネットワーク１８０を介して外部から入力された画像データと、画像データが読み取られた順番に対応するページ番号と対応付けて一時的に保存しておくバッファメモリである。本実施の形態の複合機１００は、自身の備えるスキャナ１１０から読み取った画像データ及び、ネットワーク１８０を介するなどして外部から入力された画像データのいずれをも処理して画像形成することができる。
【００３５】
画像処理部１３０は、スキャナ１１０から送られて画像記憶部１２０に一時的に保存された多値データに対して、システム制御部１６０の命令を受け、γ補正やＭＴＦ補正処理等を施した後、スライス処理やディザ処理のような階調処理を施して２値（または多値）化処理を施す。また、画像処理部１３０は、利用者が設定した機能に対応した各種の画像処理（拡大／縮小、濃度／色の調整など）、画像領域編集処理（領域削除、領域移動、領域反転など）やレイアウト加工処理（両面印刷／片面印刷、集約印刷、余白サイズの調整など）、仕上がり状態を示すプレビュー画像の生成処理などを行う。
【００３６】
画像処理部１３０は、さらに画像取得部１３１とプレビュー画像生成部１３２とを備える。画像取得部１３１は、操作表示部１５０にプレビュー画像を表示する際に、最初に表示される画像データ、または、現在表示されているプレビュー画像から遷移可能な画像データ、すなわちページ送りボタンが押下された場合に表示される可能性がある画像データを、画像データに対応付けられたページ番号を参照して画像記憶部１２０から取得する。プレビュー画像生成部１３２は、画像取得部１３１によって取得された画像データからプレビュー画像を生成する。なお、プレビュー画像生成部１３２は、１つの画像データからメインのプレビュー画像とサブのプレビュー画像を生成する。ここで、メインのプレビュー画像とは、通常操作表示部１５０の中央部に他のプレビュー画像より大きなサイズで表示される解像度が高いプレビュー画像である。また、サブのプレビュー画像とは、メインのプレビュー画像より小さなサイズで、メインのプレビュー画像との連続関係が判断できるように表示された、解像度が低いプレビュー画像である。詳細は後述する。
【００３７】
プリンタ１４０は、プリンタコントローラ１４２に制御され、画像処理部１３０で処理された画像データに基づいて光ビームを偏向走査させ、感光体上に形成した静電潜像にトナーを使って現像し、生成されたトナー画像を転写紙に転写して、定着処理を行う電子写真技術を用いたプリンタである。なお、プリンタ１４０の印刷方式は、電子写真方式のほか、インクジェット方式、昇華型熱転写方式、銀塩写真方式、直接感熱記録方式、溶融型熱転写方式など、様々な方式を用いることができる。プリンタコントローラ１４２は、システム制御部１６０の命令を受けてプリンタ１４０を制御する。
【００３８】
プリンタ１４０は、仕上げ処理部１４１を搭載している。仕上げ処理部１４１は、自動設定あるいは利用者による設定を受け付けて、印刷処理が施された印刷物２を部数やページ単位で仕分けするソート処理、印刷媒体に対して所定のスタンプを押印するスタンプ処理、複数枚の印刷媒体を揃えてステープルで綴じるステープル処理、あるいは複数枚の印刷媒体をバインダやファイルに綴じるためのパンチ穴をあけるパンチ処理等の仕上げ処理を行う。
【００３９】
操作表示制御部１５１は、システム制御部１６０の命令を受けて操作表示部１５０の入出力を制御する。例えば、操作表示制御部１５１は、画像処理部１３０によって処理されたプレビュー画像を操作表示部１５０が備えているタッチパネル１５０ａおよび表示パネル１５０ｂに出力制御する。より具体的には、操作表示制御部１５１は、生成された複数のプレビュー画像の表示位置を制御して表示パネル１５０ｂにプレビュー画像を表示する。また、操作表示制御部１５１は、タッチパネル１５０ａの入力制御を行う。なお、表示パネル１５０ｂとタッチパネル１５０ａは図面上別々に記載されているが、ここでは一体的に構成する。
【００４０】
タッチパネル１５０ａは、パネル上に、電気的あるいは磁気的にポインタの接触する位置を検出する。タッチパネル１５０ａに対する指定手段（図示せず）としては、人間の指先、スタイラスペン、その他の接触入力具（以下、ポインタという）が適用可能である。すなわち、利用者は、タッチパネル１５０ａに対してこのようなポインタを介して接触することによりページ送り情報や印刷条件を含む各種項目を入力する。
【００４１】
なお、本実施の形態においては、タッチパネル１５０ａに対する接触入力を例に挙げて説明するが、必ずしも接触入力のみが本発明の実施の形態ではない。例えば、操作表示部１５０は、タッチパネル１５０ａの他に操作者による物理的なキーの押下を受付けて入力を行うハードキーを備え、印刷実行などの指示を与えるようにしてもよい。また、表示パネル１５０ｂは、複合機１００が備える専有の表示装置を用いてもよい。
【００４２】
操作表示部１５０は、操作表示制御部１５１に制御され、タッチパネル１５０ａを介して設定内容の入力を受付け、プレビュー画像、画像データの仕上げやページ送り情報を設定するためのメニュー項目等を表示手段である表示パネル１５０ｂに表示する。
【００４３】
また、操作表示部１５０は、複合機１００で実行したい機能を設定画面のメニュー項目として表示し、表示されたメニュー項目の中から利用者による設定入力を受付け、設定内容を取得する。すなわち、操作表示制御部１５１は、ポインタがタッチパネル１５０ａに接触すると、押圧された部分の座標が検出される。選択可能領域における接触であることが検出されると、該当する項目が選択されたものとして、設定されている項目値を受付ける。
【００４４】
図２は、操作表示部に表示される画面の一例を示す説明図である。スキャナ等から画像データが読込まれた直後は、画像データの最始部、すなわち１〜３ページのプレビュー画像が表示される。図２に示すように、１ページの画像データはメインのプレビュー画像２１として大きく表示される。２ページ、３ページの画像データは、サブのプレビュー画像２２、２３として、１ページのプレビュー画像との連続関係が判断しやすいように右下に表示される。また、ページ送りボタンとして、“最終ページへ”のボタン２４と、“次ページへ”のボタン２５が表示される。“最終ページへ”のボタン２４が押下された場合は、例えば画像データのページ数が２０ページの場合は、１８〜２０ページのプレビュー画像が表示される。また、“次ページへ”のボタン２５が押下された場合は、ページ送りがなされ、１〜４ページが表示される。この場合、２ページのプレビュー画像が中央に表示される。すなわち、ページ送りボタンを押下することによって、操作表示部１５０に表示可能な画像データをページ番号に従って遷移させることができる。また、図２のようにプレビュー画像が表示されている場合は、遷移可能なページとして、４、１８〜２０ページのプレビュー画像が生成され、押下されたページ送りボタンに従って、対応するページのプレビュー画像が表示されることとなる。また、画像データに対する画像処理や仕上げの機能を示す機能ボタン２６は、“カラー”、“両面／片面”、“濃度”、“スタンプ”、“パンチ”、“とじしろ”等のボタンとして表示されている。
【００４５】
次に、以上のように構成されている複合機によるプレビュー画像表示処理について説明する。図３は、スキャナ、画像取得部、プレビュー画像生成部、操作表示制御部が行うプレビュー画像表示処理手順を示すフローチャートである。
【００４６】
まず、スキャナ１１０は、原稿１を読み取り、画像データを取得する（ステップＳ３０１）。このとき、画像データを取得した順番に対応したページ番号が、画像データに対応付けて取得される。スキャナ１１０は、取得した画像データとページ番号を対応付けて画像記憶部１２０に格納する（ステップＳ３０２）。画像取得部１３１は、画像記憶部１２０から１つの原稿単位の画像データの最始部およびページ送り対象の画像データを取得する（ステップＳ３０３）。図２に示すように、メインのプレビュー画像とそれに続くサブのプレビュー画像が２つずつ表示されている場合において、例えば２０ページの原稿を読込み、２０ページの画像データが１つの原稿単位として格納されている場合は、最始部の画像データとして、１〜３ページの画像データ、ページ送り対象の画像データとして、４ページの画像データと１８〜２０ページの画像データを取得する。なお、画像記憶部１２０からの画像データの取得は、スキャナ１１０から１つの原稿として画像データすべての読込みを完了した後である必要はなく、画像データの読込みが完了する前に、例えば画像データを画像記憶部１２０に格納するとほぼ同時に画像記憶部１２０から画像データを取得してもよい。
【００４７】
プレビュー画像生成部１３２は、取得された画像データからプレビュー画像を生成する（ステップＳ３０４）。具体的には、画像データからメインのプレビュー画像とサブのプレビュー画像が生成される。操作表示制御部１５１は、プレビュー画像生成部１３２によって生成されたプレビュー画像のうち、最始部に対応するプレビュー画像を操作表示部１５０に表示する（ステップＳ３０５）。例えば、図２に示すように１ページのメインのプレビュー画像と２、３ページのサブのプレビュー画像が表示される。操作表示部１５０は、ページ送りボタンが押下されたか否かを判断する（ステップＳ３０６）。
【００４８】
ページ送りボタンが押下されたと判断した場合は（ステップＳ３０６：Ｙｅｓ）、プレビュー画像生成部１３２はページ送りに対応するプレビュー画像を操作表示部１５０に表示する（ステップＳ３０７）。図４は、操作表示部に表示される画面の一例を示す説明図である。例えば、図２に示すような当初表示画面から、“最終ページへ”のボタンを押下したり、“次ページへ”のボタンを繰り返し押下した場合に、図４に示すような最終ページを含むプレビュー画像が表示される。図４では、ページ送りボタンとして、“先頭ページへ”のボタンと“前ページへ”のボタンが表示されている。“先頭ページへ”のボタンを押下することにより、最始部に対応するプレビュー画像が表示される。
【００４９】
次に、画像取得部１３１は、画像記憶部１２０から次のページ送り対象の画像データを取得する（ステップＳ３０８）。プレビュー画像生成部１３２は、次のページ送り対象のプレビュー画像を生成する（ステップＳ３０９）。このように、プレビュー画像が表示された時点で遷移可能なプレビュー画像のみが生成されているため、操作時に無駄な待ち時間が生じることなく、作業効率を向上することができる。例えば、図４では、遷移可能なページとして、最始部の１〜３ページのプレビュー画像と、前ページである１７ページのプレビュー画像が生成される。その後、ステップＳ３０６に戻る。ステップＳ３０６において、ページ送りボタンが押下されていないと判断した場合は（ステップＳ３０６：Ｎｏ）、操作表示制御部１５１は印刷を開始するか否かを判断する（ステップＳ３１０）。具体的には、図示していない印刷ボタンが押下されたか否かによって判断する。印刷を開始しないと判断した場合は（ステップＳ３１０：Ｎｏ）、ステップＳ３０６に戻る。
【００５０】
印刷を開始したと判断した場合は（ステップＳ３１０：Ｙｅｓ）、画像処理部１３０は画像データに対して設定された画像処理を実行し、プリンタ１４０による印刷処理を実行する（ステップＳ３１１）。なお、印刷処理を実行するのではなく、機能ボタンを押下されたか否かを判断し、機能ボタンを押下された場合に、機能に対応した現在表示されているページおよびページ送り対象であるページのメインおよびサブのプレビュー画像を生成し、選択された機能に対応したプレビュー画像を表示し、その後さらにページ送りや印刷処理を実行してもよい。
【００５１】
このように、画像データを読込んだ時点で、読込んだすべての画像データについてのプレビュー画像を生成するのではなく、これから表示するページとページ送りボタンを押下された場合に表示する可能性があるページのプレビュー画像のみを生成することにより、プレビュー画像を生成する時間を短縮することができるため、短時間でプレビュー画像を表示することができ、操作を開始することができる。また、プレビュー画像のためのメモリは、現在のページとページ送りで表示される可能性があるページのみを格納すればよいため、必要なメモリを削減することができる。
【００５２】
（第２の実施の形態）
第２の実施の形態について、添付図面を参照して説明する。本発明が適用される複合機の機能、構成は、第１の実施の形態とほぼ同一であるため、第１の実施の形態と異なる部分のみを説明する。
【００５３】
操作表示制御部１５１は、上述した機能、構成に加え、プレビュー画像で表示するページ範囲を指定するページ指定画面を表示し、表示ページ範囲の入力を受付ける。画像取得部１３１は、上述した機能、構成に加え、操作表示制御部１５１によって受付けた表示ページ範囲に対応する画像データを画像記憶部１２０から取得する。
【００５４】
次に、本実施の形態にかかる複合機によるプレビュー画像表示処理について説明する。図５は、第２の実施の形態にかかるスキャナ、画像取得部、プレビュー画像生成部、操作表示制御部が行うプレビュー画像表示処理手順を示すフローチャートである。
【００５５】
まず、スキャナ１１０は、原稿１を読み取り、画像データを取得する（ステップＳ５０１）。このとき、画像データを取得した順番に対応したページ番号が、画像データに対応付けて取得される。スキャナ１１０は、取得した画像データとページ番号を対応付けて画像記憶部１２０に格納する（ステップＳ５０２）。操作表示制御部１５１は、表示ページ指定画面を操作表示部１５０に表示する（ステップＳ５０３）。図６は、操作表示部に表示される表示ページ指定画面の一例を示す説明図である。操作表示制御部１５１は、表示ページ範囲を取得する（ステップＳ５０４）。図６に示すように、例えば２０ページからなる原稿のうち、１ページから１０ページをプレビュー画像で確認したい場合は、１〜１０を指定する。
【００５６】
画像取得部１３１は、画像記憶部１２０から表示ページ範囲の画像データを取得する（ステップＳ５０５）。プレビュー画像生成部１３２は、取得された画像データからプレビュー画像を生成する（ステップＳ５０６）。操作表示制御部１５１は、プレビュー画像生成部１３２によって生成されたプレビュー画像のうち、最始部に対応するプレビュー画像を操作表示部１５０に表示する（ステップＳ５０７）。なお、ここでは、表示ページ範囲の最始部のプレビュー画像を表示することとしたが、特に最始部に限る必要はなく、予め定められたページ、例えば表示ページ範囲の中央のページを含む３ページや５ページを表示するようにしてもよい。また、表示ページ範囲のプレビュー画像すべてを等サイズで一画面に表示するようにしてもよい。
【００５７】
次に、操作表示部１５０は、ページ送りボタンが押下されたか否かを判断する（ステップＳ５０８）。ページ送りボタンが押下されたと判断した場合は（ステップＳ５０８：Ｙｅｓ）、プレビュー画像生成部１３２はページ送りに対応するプレビュー画像を操作表示部１５０に表示する（ステップＳ５０９）。画像取得部１３１は、次のページ送り対象が表示ページ範囲内か否かを判断する（ステップＳ５１０）。
【００５８】
次のページ送り対象が表示ページ範囲内でないと判断した場合は（ステップＳ５１０：Ｎｏ）、画像取得部１３１は画像記憶部１２０から次のページ送り対象の画像データを取得する（ステップＳ５１１）。なお、次のページ送り対象が表示ページ範囲内でないと判断した場合は、ステップＳ５０３に戻って、再度表示ページ範囲を取得するようにしてもよい。プレビュー画像生成部１３２は、次のページ送り対象のプレビュー画像を生成する（ステップＳ５１２）。その後、ステップＳ５０８に戻る。ステップＳ５１０において、次のページ送り対象が表示ページ範囲内であると判断した場合は（ステップＳ５１０：Ｙｅｓ）、ステップＳ５０８に戻る。
【００５９】
ステップＳ５０８において、ページ送りボタンが押下されていないと判断した場合は（ステップＳ５０８：Ｎｏ）、操作表示制御部１５１は印刷を開始するか否かを判断する（ステップＳ５１３）。具体的には、図示していない印刷ボタンが押下されたか否かによって判断する。印刷を開始しないと判断した場合は（ステップＳ５１３：Ｎｏ）、ステップＳ５０８に戻る。
【００６０】
印刷を開始したと判断した場合は（ステップＳ５１３：Ｙｅｓ）、画像処理部１３０は画像データに対して設定された画像処理を実行し、プリンタ１４０による印刷処理を実行する（ステップＳ５１４）。なお、上述したように、印刷処理を実行するのではなく、機能ボタンを押下されたか否かを判断し、機能ボタンを押下された場合に、機能に対応した現在表示されているページおよびページ送り対象であるページのプレビュー画像を生成し、現在ページのプレビュー画像を表示し、その後さらにページ送りや印刷処理を実行してもよい。
【００６１】
このように、画像データを読込んだ時点で、読込んだすべての画像データについてのプレビュー画像を生成するのではなく、指定した表示ページ範囲のプレビュー画像のみを生成することにより、確認したいプレビュー画像のみが生成され、プレビュー画像の生成時間を短縮することができるため、短時間でプレビュー画像を表示することができ、操作を開始することができる。また、プレビュー画像のためのメモリは、表示対象ページを格納すればよいため、必要なメモリを削減することができる。
【００６２】
（第３の実施の形態）
第３の実施の形態について、添付図面を参照して説明する。本発明が適用される複合機の機能、構成は、第１の実施の形態とほぼ同一であるため、第１の実施の形態と異なる部分のみを説明する。
【００６３】
次に、以上のように構成されている複合機によるプレビュー画像表示処理について説明する。図７は、第３の実施の形態にかかるスキャナ、画像取得部、プレビュー画像生成部、操作表示制御部が行うプレビュー画像表示処理手順を示すフローチャートである。
【００６４】
まず、スキャナ１１０は、原稿１を読み取り、画像データを取得する（ステップＳ７０１）。このとき、画像データを取得した順番に対応したページ番号が、画像データに対応付けて取得される。スキャナ１１０は、取得した画像データとページ番号を対応付けて画像記憶部１２０に格納する（ステップＳ７０２）。画像取得部１３１は、画像記憶部１２０から１つの原稿単位の画像データの最始部およびページ送り対象の画像データを取得する（ステップＳ７０３）。プレビュー画像生成部１３２は、取得された画像データのサブのプレビュー画像、および１ページのメインのプレビュー画像を生成する（ステップＳ７０４）。
【００６５】
操作表示制御部１５１は、プレビュー画像生成部１３２によって生成されたプレビュー画像のうち、最始部に対応するプレビュー画像を操作表示部１５０に表示する（ステップＳ７０５）。操作表示部１５０は、ページ送りボタンが押下されたか否かを判断する（ステップＳ７０６）。ページ送りボタンが押下されたと判断した場合は（ステップＳ７０６：Ｙｅｓ）、プレビュー画像生成部１３２はページ送りに対応するメインのプレビュー画像を生成する（ステップＳ７０７）。このように、ページ送りボタンが押下された場合に、メインのプレビュー画像を生成するため、表示されるメインのプレビュー画像のみが生成され、メモリに格納されるため、メモリを無駄に占有することをなくすことができる。
【００６６】
プレビュー画像生成部１３２は、ページ送りに対応するプレビュー画像を操作表示部１５０に表示する（ステップＳ７０８）。例えば、画像データの取得時は、図２に示すように、最始ページがメインのプレビュー画像として表示される。次に、画像取得部１３１は、画像記憶部１２０から次のページ送り対象の画像データを取得する（ステップＳ７０９）。プレビュー画像生成部１３２は、次のページ送り対象のサブのプレビュー画像を生成する（ステップＳ７１０）。その後、ステップＳ７０６に戻る。
【００６７】
ステップＳ７０６において、ページ送りボタンが押下されていないと判断した場合は（ステップＳ７０６：Ｎｏ）、操作表示制御部１５１は印刷を開始するか否かを判断する（ステップＳ７１１）。具体的には、図示していない印刷ボタンが押下されたか否かによって判断する。印刷を開始しないと判断した場合は（ステップＳ７１１：Ｎｏ）、ステップＳ７０６に戻る。
【００６８】
印刷を開始したと判断した場合は（ステップＳ７１１：Ｙｅｓ）、画像処理部１３０は画像データに対して設定された画像処理を実行し、プリンタ１４０による印刷処理を実行する（ステップＳ７１２）。なお、上述したように、印刷処理を実行するのではなく、機能ボタンを押下されたか否かを判断し、機能ボタンを押下された場合に、機能に対応した現在表示されているページのサブおよびメインのプレビュー画像、およびページ送り対象であるページのサブのプレビュー画像を生成し、現在ページのプレビュー画像を表示し、その後さらにページ送りや印刷処理を実行してもよい。
【００６９】
このように、現時点で表示するページとページ送りを指示された場合に表示する可能性があるページのサブのプレビュー画像のみを生成し、ページ送りが指示された場合にメインのプレビュー画像を生成して表示することにより、メインのプレビュー画像を格納するためのメモリ容量を削減することができるため、メモリを有効に活用することができる。
【００７０】
（第４の実施の形態）
第１の実施の形態〜第３の実施の形態においては、本発明の画像処理装置として、ＭＦＰと称される複合機１００を適用したが、これに限るものではない。例えば、プリンタ装置などの画像形成装置をパーソナルコンピュータに接続するとともに、このパーソナルコンピュータのＨＤＤ（Hard Disk Drive）などの記憶装置に所定のプログラムをインストールし、このプログラムに従ってパーソナルコンピュータのＣＰＵ（Central Processing Unit ）を動作させることによっても、前述したような各種の作用効果と同様の作用効果を得ることができる。
【００７１】
図８は、第４の実施の形態にかかるプリントシステムの概略構成例を示すブロック図である。図８に示すプリントシステム２００は、画像データ及び当該画像データを印刷するための印刷条件を含む印刷ジョブを送出するパーソナルコンピュータ２０１と、画像データを印刷するプリンタ装置２０２とが、ケーブル２０３を介して接続されて構築されている。
【００７２】
パーソナルコンピュータ２０１は、作成した文書に対応した画像データ及びこの文書印刷するために設定した印刷条件データ（用紙方向、両面、集約、製本、ステープル、パンチ、拡大／縮小等）を印刷ジョブとしてプリンタ装置２０２に送出する。
【００７３】
プリンタ装置２０２は、パーソナルコンピュータ２０１から送出される印刷ジョブに従って画像データの印刷を行う。具体的には、プリンタ装置２０２は、印刷ジョブに含まれる印刷条件データ（用紙方向、両面、集約、製本、ステープル、パンチ、拡大／縮小等）に従って、印刷ジョブに含まれる画像データを紙などのメディアに印刷する。
【００７４】
以下、パーソナルコンピュータ２０１およびプリンタ装置２０２の具体的な構成を順に説明する。
【００７５】
図９は、パーソナルコンピュータの概略構成を示すブロック図である。図９において、パーソナルコンピュータ２０１は、データを入力するための入力部２１１と、表示部２１２と、データ通信をおこなうための通信部２１３と、装置全体の制御を司るＣＰＵ２１４と、ＣＰＵ２１４のワークエリアとして使用されるＲＡＭ２１５と、記憶媒体２１７のデータのリード／ライトを行う記憶媒体ドライブ装置２１６と、ＣＰＵ２１４を動作させるための各種プログラム等を記憶した記憶媒体２１７とから構成されている。
【００７６】
入力部２１１は、カーソルキー、数字入力キー及び各種機能キー等を備えたキーボード、表示部２１２の表示画面上でキーの選択等を行うためのマウスやスライスパット等からなり、操作者がＣＰＵ２１４に操作指示を与えたり、データを入力するためのユーザインタフェースである。
【００７７】
表示部２１２は、ＣＲＴやＬＣＤ等により構成され、ＣＰＵ２１４から入力される表示データに応じた表示が行われる。通信部２１３は、外部とデータ通信するためのものであり、例えば、ケーブル２０３を介してプリンタ装置２０２等とデータ通信を行うためのものである。
【００７８】
ＣＰＵ２１４は、記憶媒体２１７に格納されているプログラムに従って、装置全体を制御する中央制御ユニットであり、このＣＰＵ２１４には、入力部２１１、表示部２１２、通信部２１３、ＲＡＭ２１５、記憶媒体ドライブ装置２１６が接続されており、データ通信、メモリへのアクセスによるアプリケーションプログラムの読み出しや各種データのリード／ライト、データ／コマンド入力、表示等を制御する。また、ＣＰＵ２１４は、入力部２１１から入力された画像データ及び当該画像データの印刷条件データを印刷ジョブとして通信部２１３を介して、プリンタ装置２０２に送出する。
【００７９】
ＲＡＭ２１５は、指定されたプログラム、入力指示、入力データ及び処理結果等を格納するワークメモリと、表示部２１２の表示画面に表示する表示データを一時的に格納する表示メモリとを備えている。
【００８０】
上記記憶媒体２１７は、ＣＰＵ２１４が実行可能なＯＳプログラム２１７ａ（例えば、ＷＩＮＤＯＷＳ（登録商標）等）、文書作成アプリケーションプログラム２１７ｂ、プリンタ装置２０２に対応したプリンタドライバ２１７ｃ等の各種プログラムやデータを格納する。記憶媒体２１７としては、例えば、フレキシブルディスク、ハードディスク、ＣＤ−ＲＯＭ、ＤＶＤ−ＲＯＭ、ＭＯやＰＣカード等の光学的・磁気的・電気的な記憶媒体から成る。上記各種プログラムは、ＣＰＵ２１４が読み取り可能なデータ形態で記憶媒体２１７に格納されている。また、上記各種プログラムは、予め記憶媒体に記録されている場合や通信回線を介してダウンロードされて記憶媒体に格納される場合等がある。また、上記各種プログラムは通信回線を介して配信可能である。
【００８１】
図１０は、プリンタ装置の概略構成を示すブロック図である。図１０に示すように、プリンタ装置２０２は、データ通信をおこなう通信部２２１と、プリンタ装置２０２の全体の制御を司るＣＰＵ２２２と、ＣＰＵ２２２を動作させる各種制御プログラムを格納したＲＯＭ２２３と、各種制御プログラムのワークエリアおよびパーソナルコンピュータ２０１等から入力される印刷ジョブの印字データおよび印刷条件データを一時的格納するＲＡＭ２２４と、印字データを転写紙に印字するためのプリンタエンジン２２５と、印字データが印字された紙をステープルするためのステープル部２２６と、印字データが印字された転写紙にパンチ穴を空けるためのパンチ部２２７とから構成されている。つまり、プリンタ装置２０２は、両面機能、パンチ機能、ステープル機能等を備えている。
【００８２】
通信部２２１は、外部とデータ通信を行うためのものであり、例えば、パーソナルコンピュータ２０１とデータ通信を行うものである。
【００８３】
ＣＰＵ２２２は、ＲＯＭ２２３に格納されている各種制御プログラムに従って装置全体を制御する中央制御ユニットである。このＣＰＵ２２２には、通信部２２１と、ＲＯＭ２２３と、ＲＡＭ２２４と、プリンタエンジン２２５と、ステープル部２２６と、パンチ部２２７が接続されており、データ通信やプリンタ動作等を制御する。
【００８４】
ＲＯＭ２２３は、ＣＰＵ２２２を動作させるための各種制御プログラムやその処理に使用されるパラメータ等を記憶している。ＲＡＭ２２４は、指定された制御プログラム、処理結果及び受信した画像データ等を格納するワークメモリを備えている。
【００８５】
プリンタエンジン２２５は、電子写真方式のプリンタエンジンで構成されており、印字データを転写紙に印字するユニットである。なお、プリンタ装置２０２の印刷方式は、電子写真方式のほか、インクジェット方式、昇華型熱転写方式、銀塩写真方式、直接感熱記録方式、溶融型熱転写方式など、様々な方式を用いることができる。
【００８６】
次に、パーソナルコンピュータ２０１のプリンタドライバ２１７ｃについて説明する。プリンタドライバ２１７ｃは、特定のプログラムに対して他のプログラムが、プリンタ装置２０２のハードウェアや内部“言語"に煩わされることなく操作できるように設計されたソフトウエアプログラムであり、プリンタ装置２０２を制御するためのもので、出力データの処理等をおこなうためのものである。
【００８７】
パーソナルコンピュータ２０１のＣＰＵ２１４は、プリンタドライバ２１７ｃに従って、入力部２１１から入力された画像データ及び当該画像データの印刷条件データに基づく仕上がり予想図の生成・表示、文書作成アプリケーションプログラム２１７ｂで作成した画像データのプリンタ装置２０２への転送等を行う。
【００８８】
図１１は、パーソナルコンピュータの要部を示すブロック部である。パーソナルコンピュータ２０１は、プリンタドライバ２１７ｃに従ってＣＰＵ２１４が動作することにより、図１１に示すように、画像記憶部１２０、画像処理部１３０、操作表示制御部１５１およびシステム制御部１６０を備える。
【００８９】
このように、プリンタドライバ２１７ｃに従ってＣＰＵ２１４が動作することにより、パーソナルコンピュータ２０１は、図１に示した複合機１００と同等なシステム構成を備えることになり、第１の実施の形態〜第３の実施の形態で説明したような各種の作用効果と同様の作用効果を得ることができる。
【００９０】
図１２は、プリンタドライバによる表示画面の一例を示す説明図である。図１２に示す画面は、文書作成アプリケーションプログラム２１７ｂの表示画面やＯＳプログラム２１７ａの起動画面等で、プリンタドライバ２１７ｃの起動が選択された場合に表示される画面である。図１２に示すように、入力部２１１から入力された画像データ及び当該画像データの印刷条件データに基づくプレビュー画像の生成・表示を行なう表示画面が表示部２１２（複合機１００の操作表示画面と同様のもの）が表示される。
【００９１】
なお、本実施の形態においては、プリンタドライバ２１７ｃに従ってパーソナルコンピュータ２０１のＣＰＵ２１４を動作させることによって、入力部２１１から入力された画像データ及び当該画像データの印刷条件データに基づく仕上がり予想図の生成・表示を行なう操作表示画面を表示させるようにしたが、これに限るものではなく、文書作成アプリケーションプログラム２１７ｂやＯＳプログラム２１７ａに従ってパーソナルコンピュータ２０１のＣＰＵ２１４を動作させることによって、操作表示画面を表示させるようにしてもよい。
【００９２】
以上、本発明者によってなされた発明を好適な実施例に基づき具体的に説明したが、本発明は上記のものに限定されるものではなく、その要旨を逸脱しない範囲で種々変更可能であることはいうまでもない。また、上述した第１の実施の形態〜第４の実施の形態において説明した構成や機能は、自由に組み合わせることができる。
【図面の簡単な説明】
【００９３】
【図１】第１の実施の形態にかかる複合機の構成を示すブロック図である。
【図２】操作表示部に表示される画面に一例を示す説明図である。
【図３】スキャナ、画像取得部、プレビュー画像生成部、操作表示制御部が行うプレビュー画像表示処理手順を示すフローチャートである。
【図４】操作表示部に表示される画面の一例を示す説明図である。
【図５】第２の実施の形態にかかるスキャナ、画像取得部、プレビュー画像生成部、操作表示制御部が行うプレビュー画像表示処理手順を示すフローチャートである。
【図６】操作表示部に表示される表示ページ指定画面の一例を示す説明図である。
【図７】第３の実施の形態にかかるスキャナ、画像取得部、プレビュー画像生成部、操作表示制御部が行うプレビュー画像表示処理手順を示すフローチャートである。
【図８】第４の実施の形態にかかるプリントシステムの概略構成例を示すブロック図である。
【図９】パーソナルコンピュータの概略構成を示すブロック図である。
【図１０】プリンタ装置の概略構成を示すブロック図である。
【図１１】パーソナルコンピュータの要部を示すブロック部である。
【図１２】プリンタドライバによる表示画面の一例を示す説明図である。
【符号の説明】
【００９４】
１００  複合機
１１０  スキャナ
１１１  ＡＤＦ
１１２  スキャナコントローラ
１２０  画像記憶部
１３０  画像処理部
１３１  画像取得部
１３２  プレビュー画像生成部
１４０  プリンタ
１４１  仕上げ処理部
１４２  プリンタコントローラ
１５０  操作表示部
１５０ａ  タッチパネル
１５０ｂ  表示パネル
１５１  操作表示制御部
１６０  システム制御部
１７０  通信制御部
１８０  ネットワーク
２００  プリントシステム
２０１  パーソナルコンピュータ
２０２  プリンタ装置
２０３  ケーブル
１  原稿
２  印刷物
【図１】
2008205903.tif 000003
【図２】
2008205903.tif 000004
【図３】
2008205903.tif 000005
【図４】
2008205903.tif 000006
【図５】
2008205903.tif 000007
【図６】
2008205903.tif 000008
【図７】
2008205903.tif 000009
【図８】
2008205903.tif 000010
【図９】
2008205903.tif 000011
【図１０】
2008205903.tif 000012
【図１１】
2008205903.tif 000013
【図１２】
2008205903.tif 000014